(57)【要約】【課題】冷蔵貯蔵庫の蒸発器に生じたドレン水を蒸発皿に導き、冷凍機の冷媒回路を流れる高温の冷媒と熱交換してドレンを強制的に蒸発処理する方式を基本に、蒸発皿で処理し切れないドレン水を庫内に垂れ流しすることなく、蒸発皿から庫外に導いて排水処理できるようにドレン排水構造を改良する。【解決手段】貯蔵庫に搭載した冷却ユニット３のコンデンシングユニット部にドレン蒸発皿９を配備して該蒸発皿に冷凍機の吐出側冷媒管１２を伝熱的に組み合わせ、蒸発器に生じたドレン水を前記蒸発皿に導いて蒸発処理するようにしたものにおいて、蒸発皿９の側壁に、蒸発皿の高水位レベルに合わせてドレンホース４を接続するドレン排水口９ａ、蒸発皿の上限水位レベルＨに合わせて前記排水口の両側に形成したオーバーフロー堰９ｂ，およびドレン導水ガイド９ｃを設け、さらにこの蒸発皿に併設して冷却ユニット３の背後には前記ドレン排水口およびオーバーフロー堰から流出したドレン水を貯蔵庫の背後に導くドレン排水樋１３を備える。【選択図】図１
2007132638.tif 000002
【特許請求の範囲】
【請求項１】
貯蔵庫に冷却ユニットを搭載した冷蔵貯蔵庫であって、前記冷却ユニットのコンデンシングユニット部にドレン蒸発皿を配備して該蒸発皿に冷凍機の吐出側冷媒管を伝熱的に組み合わせ、冷凍機の蒸発器に生じたドレン水を前記蒸発皿に導いて蒸発処理するようにしたものにおいて、
前記蒸発皿の側壁に、該蒸発皿の高水位レベルに合わせて開口したドレンホース接続用のドレン排水口，および該ドレン排水口に並べて蒸発皿の上限水位レベルに設定したオーバーフロー堰を設けるとともに、この蒸発皿に併設して冷却ユニットの背後には前記ドレン排水口およびオーバーフロー堰から流出したドレン水を貯蔵庫の背後に導くドレン排水樋を備えたことを特徴とする冷蔵貯蔵庫。
【請求項２】
請求項１に記載の冷蔵貯蔵庫において、蒸発皿の側壁にオーバーフロー堰を超えて流出するドレン水をドレン排水樋へ導くドレン導水ガイドを形成したことを特徴とする冷蔵貯蔵庫。
【発明の詳細な説明】
【技術分野】
【０００１】
本発明は、農産物の冷蔵ストッカー等を対象とする冷蔵貯蔵庫に関し、詳しくは貯蔵庫に搭載した冷却ユニットのドレン水処理構造に係わる。
【背景技術】
【０００２】
頭記の冷蔵貯蔵庫として現在市場に展開している農産物冷蔵ストッカーの構成を図３に示す。図３（ａ），（ｂ）において、１は断熱筐体になる貯蔵庫、２はその前面に配した観音開き式扉、３は貯蔵庫１の上に搭載装備した冷却ユニット（冷凍機）、４はドレンホース、５はドレン水の回収容器であり、保冷運転中に冷凍機の蒸発器（図示せず）の表面に凝縮したドレン水、ないしは蒸発器７の表面に着霜して除霜の際に溶解したドレン水を、蒸発器に付設のドレンパン（図示せず）に接続配管した前記のドレンホース４を通じて容器５に回収するようにしている。なお、図中のＡは貯蔵庫内に収納して冷蔵保管する農産物（例えば袋に詰めた玄米など）である。また、前記の回収容器５を使用する代わりに、ドレンホース４の先端を排水溝に直接差し込んで排水処理する場合もある。
一方、前記の冷蔵貯蔵庫に搭載した冷却ユニット３について、冷凍機の蒸発器に生じたドレン水をドレンホース４を通じて容器５で回収する図３の排水処理方式とは別に、冷却ユニットの冷凍機コンデンシングユニット部にドレン水の蒸発皿を配備し、かつこの蒸発皿を冷凍機の吐出側冷媒管の上に伝熱的に載置した上で、蒸発器に生じたドレン水を前記蒸発皿に導いて強制的に蒸発処理するようにした方式が知られており（例えば、特許文献１参照）、次にその冷却ユニットの構成を図４に示す。
【０００３】
図４において、６は冷凍機の凝縮器、７は蒸発器、８は蒸発器７を取り囲んで冷却ユニット３の内方に構築した断熱仕切壁、９は凝縮器６の背後に並置して冷却ユニット３のコンデンシングユニット部に配備したドレン蒸発皿であり、該蒸発皿９は蒸発器７の下方に配したドレンパン１０とドレン導水パイプ１１を介して連通し、さらに蒸発皿９は冷却ユニット３のユニットベース上に引き回し配管した冷凍機の吐出側冷媒管（高温の冷媒が通流する）１２の上に伝熱的に載置されている。
上記の構成で、冷凍機の保冷運転，除霜に伴い蒸発器７に発生したドレン水は、ドレンパン１０から導水パイプ１１を通じて蒸発皿９に流入し、冷凍機の運転時に吐出側冷媒配管１２を通流する高温の冷媒と熱交換して強制的に蒸発処理される。
【特許文献１】特開２００１−２０８４６１号公報（図１−図３）
【発明の開示】
【発明が解決しようとする課題】
【０００４】
ところで、前記した従来のドレン処理方式では次記のような問題点がある。すなわち、蒸発器のドレンパンに接続したドレンホース４を通じて庫外に排水する図３の排水処理する方式では、ドレン水に混入した塵埃，ゴミなどでドレンホース４が詰まったり、あるいはドレンホース４の接続が外れたりすると、ドレン水がドレンパンから溢れて冷却ユニット３の内部に流れ出し、さらに貯蔵庫１の庫内側に垂れ流れて保管中の農産物を汚したりするおそれがある。
また、図４の強制蒸発処理方式においても、冷蔵貯蔵庫を湿気の多い環境に設置する、あるいは野菜などのように水分の多い農産物を冷蔵保管する場合には、保冷運転中に蒸発器７に生じるドレン水の発生量が多くなり、このために吐出側冷媒管１２との熱交換だけでは蒸発皿１０に溜まったドレン水を強制蒸発処理し切れず、ドレン水が蒸発皿９から溢れて冷却ユニット３，貯蔵庫１に保管した農産物を汚すおそれがある。
【０００５】
本発明は上記の点に鑑みなされたものであり、図４に示した蒸発皿を使用して蒸発器に生じたドレン水を強制蒸発させる処理方式を基本として、ドレン発生量の多い環境での使用に対応して、蒸発処理し切れないドレン水を庫内に垂れ流しすることなく、蒸発皿から庫外に導いて排水処理できるようにドレン排水構造を改良した冷蔵貯蔵庫を提供することを目的とする。
【課題を解決するための手段】
【０００６】
上記目的を達成するために、本発明によれば、貯蔵庫に冷却ユニットを搭載した冷蔵貯蔵庫で、前記冷却ユニットのコンデンシングユニット部にドレン蒸発皿を配備して該蒸発皿に冷凍機の吐出側冷媒管を伝熱的に組み合わせ、冷凍機の蒸発器に生じたドレン水を前記蒸発皿に導いて蒸発処理するようにしたものにおいて、
前記蒸発皿の側壁に、該蒸発皿の高水位レベルに合わせて開口したドレンホース接続用のドレン排水口，および該ドレン排水口に並べて蒸発皿の上限水位レベルに設定したオーバーフロー堰を設けるとともに、この蒸発皿に併設して冷却ユニットの背後には前記ドレン排水口およびオーバーフロー堰から流出したドレン水を貯蔵庫の背後に導くドレン排水樋を備えるものとする（請求項１）。
また、前記蒸発皿の側壁には、オーバーフロー堰を超えて流出するドレン水をドレン排水樋へ導くドレン導水ガイドを形成する（請求項２）。
【発明の効果】
【０００７】
上記の構成によれば、保冷運転中に蒸発器に生じるドレン発生量が多く、吐出側の冷媒管路を流れる高温冷媒の熱だけでは蒸発皿に溜まったドレン水を蒸発処理し切れないで水位が上昇した場合には、前記のドレン排水口に接続したドレンホースを通じて庫外に排水処理される。
また、ドレン排水口に接続したドレンホースがゴミなどで詰まったりして排水できず、蒸発皿のドレン水位がさらに上限レベルにまで上昇した場合には、蒸発皿のオーバーフロー堰を超えて溢れ出たドレン水が蒸発皿に併設したドレン排水樋に受け止められ、この樋から貯蔵庫の背後に放流処理される。さらに、蒸発皿のドレン排水口にドレンホースを接続するのを忘れたり、あるいは排水口に接続しておいたドレンホースが不測に外れたりした場合でも、蒸発皿のドレン水位が上昇して排水口から流出するドレン水をドレン排水樋で受け止め、オーバーフローのドレン水と同様に貯蔵庫の背後に放流処理することができ、これにより蒸発皿から溢れ出たドレン水が冷却ユニットの内部を濡らしたり、あるいは貯蔵庫の庫内に垂れ流れて貯蔵物を汚したりするトラブルを防止できて信頼性が向上する。
【発明を実施するための最良の形態】
【０００８】
以下、本発明の実施の形態を図１，図２に示す実施例に基づいて説明する。なお、図示実施例において、図４に対応する部材には同じ符号を付してその説明は省略する。
すなわち、図示実施例において、蒸発皿９は冷却ユニット３のユニットベース３ａに載置してユニット内部の後部側に配置されており、この位置で冷凍機の蒸発器に付設のドレンパン（図示せず）から引き出したドレン導水パイプ１１の開口端を蒸発皿９の内側に臨ませ、また蒸発皿９の内方には冷凍機の吐出側冷媒管１２がコイル状に巻回して収容配管されている。
一方、樹脂成形品になる蒸発皿９の後面側の側壁には、該蒸発皿の高水位レベルに位置を合わせてドレンホース４を接続するドレン排水口（ノズル）９ａが突き出し形成されており、またこのドレン排水口９ａの左右両側には側壁に窓穴を開けて蒸発皿の上限水位レベルＨに設定したオーバーフロー堰（四角堰）９ｂを形成し、さらにこのオーバーフロー堰８ｂの開口面域を包含して蒸発皿９の側壁外面にはオーバーフロー堰９ｂを超えて流出するドレン水を後記のドレン排水樋に導くドレン導水ガイド８ｃが一体成形されている。なお、蒸発皿９の設置位置で蒸発皿から背後に突き出すドレン排水口９ａ，およびドレン導水ガイド９ｃの先端は冷却ユニット３のケース壁を貫通して背後に突き出しておく。
【０００９】
そして、前記蒸発皿９に並置して冷却ユニット３の背後には、前記のドレン排水口９ａ，あるいはオーバーフロー堰９ｂからドレン導水ガイド９ｃを経て流下するドレン水を受けて貯蔵庫１の背後に導くように、ドレン排水樋１３が貯蔵庫１の上面に設けている。
上記の構成で、保冷運転中に蒸発器に生じたドレンは前記のドレン導水パイプ１１を通じて蒸発皿９に流入し、ここで蒸発皿の内方に配管した吐出側冷媒管１２を通流する高温冷媒と熱交換して蒸発処理される。一方、環境条件によって保冷運転時に発生するドレン水量が多く、吐出側冷媒管１２を流れる高温冷媒の熱だけでは蒸発皿に溜まったドレン水を蒸発処理し切れないで水位が上昇した場合には、ドレン排水口９ａに接続したドレンホース４を通じて庫外に排水処理される（矢印Ａ）。
また、ドレン排水口に接続したドレンホースがゴミなどで詰まったりして排水できず、このために蒸発皿９のドレン水位がさらに上限レベルＨまで上昇すると、蒸発皿９のオーバーフロー堰９bを超えて溢れ出たドレン水がドレン導水ガイド９ｃを伝わって蒸発皿の背後に設置したドレン排水樋１３に流下し（矢印Ｂ）、この樋から貯蔵庫の背後に放流処理される。さらに、蒸発皿９のドレン排水口９ａにドレンホース４を接続するのを忘れたり、あるいはドレン排水口９ｃに接続しておいたドレンホース４が不測に外れたりした場合には、蒸発皿９のドレン水位が上昇して排水口９ａの開口端からに垂れ流れるドレン水（矢印Ｃ）をドレン排水樋１３が受け止め、オーバーフロー堰９ｃを超えて流出するドレン水と同様にドレン排水樋１３を介して貯蔵庫１の背後に放流処理される。
【図面の簡単な説明】
【００１０】
【図１】本発明の実施例によるドレン排水構造図で、（ａ）は側面図、（ｂ）は蒸発皿の背面図
【図２】図１の上面図
【図３】ドレンホースを使用した冷蔵貯蔵庫の全体構成図で、（ａ）は正面図、（ｂ）は側面図
【図４】冷蔵貯蔵庫の冷却ユニットにドレン蒸発皿を配備した従来構造の断面図
【符号の説明】
【００１１】
１    貯蔵庫
３    冷却ユニット
４    ドレンホース
６    冷凍機の凝縮器
７    蒸発器
９    ドレン蒸発皿
９ａ  ドレン排水口
９ｂ  オーバーフロー堰
９ｃ  ドレン導水ガイド
１０    ドレンパン
１１    ドレン導水パイプ
１２    吐出側冷媒管
１３    ドレン排水樋
【図１】
2007132638.tif 000003
【図２】
2007132638.tif 000004
【図３】
2007132638.tif 000005
【図４】
2007132638.tif 000006